(57)【要約】      （修正有）【課題】リフィール交換容易なノック式ボールペンにおいて、インクタンクを長くしてインク量を増やしても、ノック棒に挿通されたリフィール後端部近傍が外部に露出することのないノック式ボールペンを提供する。【解決手段】横断面コ字状に形成されたノック棒４の後端部近傍までリフィール６の後端部が挿入される。そして、リフィールこの後端部の近傍の外部に露出している部分に、カバーを設ける。さらに、横断面円弧状の突起をノック棒の長手方向に亙って設けるとともに、横断面をＣリング状にしたカバーを、外周が横断面円弧状の突起の外周に連続して接続するように設ける。【選択図】図２
0003153353.tif 000002
【実用新案登録請求の範囲】
【請求項１】
軸筒と、
リフィールを保持する保持手段を有するとともに、前記軸筒内を軸方向に摺動自在に設けられるノック棒と、
前記ノック棒を、後方側に付勢する付勢手段と、
前記ノック棒の後方側への移動を規制する規制手段と、
前記ノック棒の押圧操作による前記ペン先の突出状態を維持する維持手段と、
前記維持手段による前記ペン先の突出状態の維持を解除する解除手段と、を有し、
前記リフィールの後端部は前記ノック棒の後端部近傍まで挿入され、
少なくとも、前記ノック棒の後端部付近の前記ノック棒の横断面はコ字状に形成され、
前記ノック棒の前記リフィール後端部の露出部分に亙りカバーが装着されたことを特徴とするノック式ボールペン。
【請求項２】
前記ノック棒の前記リフィール後端部の露出部分に亙って設けられた断面円弧状の突起と、
前記カバーは断面Ｃリング状に形成されるとともに、外周を前記断面円弧状の突起と連続して接続されるよう形成されたことを特徴とする請求項１記載のノック式ボールペン。
【請求項３】
前記規制手段は、軸筒に設けられた第二窓部と、前記ノック棒に設けられるとともに弾性的に撓むことで前記第二窓部に係脱可能に形成された第二突起と、により形成され、
前記解除手段は、前記軸筒に設けられた第一窓部と、クリップに設けられ、該第一窓部に入出可能に形成される玉部と、により形成されることを特徴とする請求項１又は２記載のノック式ボールペン。
【考案の詳細な説明】
【技術分野】
【０００１】
本考案は、筆記先端部が出没するノック式ボールペンに関し、特にリフィールを交換可能なノック式ボールペンに関する。
【背景技術】
【０００２】
従来から、ノック式ボールペンにおいてリフィール交換を容易にするため種々の構成が考案されている。例えば特許文献１に開示される発明は、軸筒に設けられた第一窓部と、ノック棒に設けられ、この第一窓部と係脱可能な第一突起と、軸筒に設けられた第二窓部と、ノック棒に設けられ、この第二窓部と係脱可能な第二突起とで構成されたノック式ボールペンが開示されている。このノック式ボールペンでは、筆記時は、スプリングによる付勢力に抗してリフィールを保持するノック棒を押圧操作することにより、第一窓部に第一突起が係合する。筆記終了後、ペン先を没入させるには、クリップの玉部により、第一窓部に係合する第一突起を押圧する。すると、ノック棒が後退し、ペン先が没入する。このリフィールの没入状態において、第二突起は第二窓部と係合し、ノック棒の後方への移動が規制される。
【０００３】
リフィールの交換時には、第二突起を押圧操作することにより、ノック棒の後方への移動規制が解除され（すなわち、第二突起と第二窓部の係合が外れる）、ノック棒及びリフィールを取り出すことができ、交換用リフィールと交換することができる。
【先行技術文献】
【特許文献】
【０００４】
【特許文献１】特開２００１−３０１３８２
【考案の概要】
【考案が解決しようとする課題】
【０００５】
上述のリフィール交換容易なノック式ボールペンにおいては、軸筒の径や長さ寸法を変更することなくリフィール長さを長くしてインク量を増加させた場合には、ノック棒の後端付近までリフィールの後端部が挿入される。この場合、リフィールを保持する突起をノック棒の後部付近に設ける。そして、射出成形によりノック棒を形成する場合、径方向の中心にパーティングラインを設けて寸法精度の向上を図るが、この場合、ノック棒の横断面がコ字状に形成されるので、リフィールの後端部が外部に露出する。すると、異物等の混入により不具合が発生することが懸念される他、見栄えも悪いものとなる。
【課題を解決するための手段】
【０００６】
本考案は、軸筒と、
リフィールを保持する保持手段を有するとともに、前記軸筒内を軸方向に摺動自在に設けられるノック棒と、前記ノック棒を、後方側に付勢する付勢手段と、前記ノック棒の後方側への移動を規制する規制手段と、前記ノック棒の押圧操作による前記ペン先の突出状態を維持する維持手段と、前記維持手段による前記ペン先の突出状態の維持を解除する解除手段と、を有し、前記リフィールの後端部は前記ノック棒の後端部近傍まで挿入され、少なくとも、前記ノック棒の後端部付近の前記ノック棒の横断面はコ字状に形成され、前記ノック棒の前記リフィール後端部の露出部分に亙りカバーが装着されたことを特徴とするノック式ボールペン、である。
【考案の効果】
【０００７】
本考案によれば、リフィールの保持手段として、対向して設けられた２箇所の突起をノック棒の後部内に形成している。この２箇所の突起は、一方の突起高さが他方の突起高さより高く形成される。さらに、一方の突起高さの高い突起は、第一突起側に形成されている。そうすると、この２箇所の突起によりリフィール後端部位を狭持して保持するので、リフィールの後方部位（２箇所の突起により狭持される部位近傍）が全体的に他方の突起高さの低い方向に寄せられる。他方の突起高さの低い突起は、第一突起と対向する側に設けられているので、結果として、リフィールを第一突起から離反する方向で保持することができる。よって、ノック時の第一突起の撓みに対して、第一突起とリフィールとが干渉することを回避することができる。これにより、ノック棒の後端までリフィールを長くしても、出没動作時の第一突起とリフィールとが干渉することなく構成することができる。換言すれば、従来よりも長いリフィールを用いることができるので、搭載できるインク量も増大し、筆記距離も増大することができる。
【図面の簡単な説明】
【０００８】
【図１】本考案に係るノック式ボールペンの全体図の一例を示す。（ａ）は本考案に係るノック式ボールペンの正面図である。（ｂ）は本考案に係るノック式ボールペンの背面図である。
【図２】図１の縦断面図を示す。（ａ）はペン先が没入している状態を示す縦断面図である。（ｂ）、（ｃ）の順で、ペン先が突出される状態を示している。
【図３】図１の（Ｉ）−（Ｉ）断面乃至（ＶＩ）−（ＶＩ）断面を表す断面図である。
【図４】図１の（ＶＩＩ）−（ＶＩＩ）断面を示す断面図である。
【図５】本考案に係るノック式ボールペンのノック棒の部品図である。（ａ）はノック棒部品図の正面図である。（ｂ）は（ａ）における（ＶＩＩＩ）−（ＶＩＩＩ）断面乃至（ＸＩ）−（ＸＩ）断面を示す断面図である。
【考案を実施するための形態】
【０００９】
以下、図面を参照しつつ本考案の実施例について説明する。なお、以下の説明において、前方向は、ペン先側の方向を指す。
【実施例１】
【００１０】
図１〜５に本考案に係る実施例であるノック式ボールペン１を示す。図１（ａ）において、ノック式ボールペン１の軸筒２は略円柱状に形成される（図３の各断面図参照）。前端は円錐形状に先口２ａが形成される。軸筒２の筆記時における把持部分には、グリップ３が嵌め込まれている。一方、軸筒２の後方にはノック棒４が軸方向に摺動自在に設けられる。また、ノック棒４は後方に付勢されており、後述の規制手段により後方への移動が規制されている。そして、ノック棒４の後方部位である押圧部４ａは、軸筒２後端から突出するよう構成されている。
【００１１】
軸筒２の後方部位にはクリップ５が設けられている。クリップ５は、脚部５ａを軸筒２の後端部から立設している。脚部５ａと接続されるクリップ本体部５ｂは軸筒２と平行して前方に向う平板状に形成されている。そして、クリップ５の前端部近傍の軸筒２の外周と向かい合う面には、玉部５ｃが設けられている。一方、軸筒２の玉部５ｃと対応する位置には、後述する第一窓部２ｂが設けられている。
【００１２】
ここで、クリップ本体部５ｂは、後述するペン先突出状態（筆記可能状態）を解除する操作に供するよう、可撓性を有し、適宜材料等が設定されている。
【００１３】
図１（ｂ）において、軸筒２の一側面（すなわち、図１（ａ）の反対側の側面であるノック式ボールペン１の背面側の側面）後方部位には、後述する第二窓部２ｃが設けられている。また、第二窓部２ｃの後端には、ノック棒４から突出する第二突起４ｃが係合している。
【００１４】
図２（ａ）において、軸筒２には、リフィール６が挿通されている。リフィール６は、いわゆるボールペンの中芯であり、ペン先（ボールペンチップ）６ａを有する前端部と、このペン先６ａと接続するインクタンク６ｂとで構成されている。そして、インクタンク６ｂの後部はノック棒４に挿入されている。
【００１５】
ノック棒４は、全体を中空部材の長手方向一側面を切り欠く長尺状に形成される部材である。ノック棒４の内部にはリフィール６（インクタンク６ｂ）の後方部位が挿入されている。そして、ノック棒４の後部内に設けられる２箇所の突起４ｄ１，４ｄ２によりリフィール６の後端部近傍が狭持される。すなわち、リフィール６を保持する保持手段が、２箇所の突起４ｄ１，４ｄ２により形成されている。
【００１６】
また、ノック棒４の前端と、軸筒２内周面から軸中心に向かって突出するリブが軸中心周り放射状（図示せず）に設けられることにより形成される段部２ｄとの間に付勢手段であるコイルスプリング７が設けられている。よって、ノック棒４は、軸筒２に対して後方に付勢されている。
【００１７】
一方、ノック棒４には、クリップ５（玉部５ｃ）から軸中心略９０度回転した位置から外方向に向けて第二突起４ｃが突出している（図１の（ＩＩ）−（ＩＩ）断面図（図３），図１の（ＩＩＩ）−（ＩＩＩ）断面図（図３），図１の（ＶＩＩ）−（ＶＩＩ）断面図（図４）参照）。詳細には、ノック棒４の長手方向中央よりやや後方から、外側の面を軸筒２内面の横断面円弧状の形状に沿うように形成された脚部４ｃ１（図１の（ＩＩＩ）−（ＩＩＩ）断面図（図３））が後方に向って延びるように形成されている。そして、脚部４ｃ１の固定されない端部（すなわち後方端）に、第二突起４ｃが外方に向けて突出している（図１の（ＶＩＩ）−（ＶＩＩ）断面図（図４）参照）。ただし、この第二突起４ｃの突起の高さは、軸筒２の外周面を超えない。軸筒２の外周面に突起が現出し、使用感に悪影響を及ぼすからである。この第二突起４ｃは、第二窓部２ｃの後端部２ｃ１と係合する。すなわち、この第二突起４ｃと後端部２ｃ１との係合によりノック棒４の後方移動を規制する規制手段が構成されている。そして、脚部４ｃ１は可撓性を有するよう材質等が設定されている。
【００１８】
一方、ノック棒４の前端からは、後方に向って延びる横断面略四角形状（図１の（ＩＶ）−（ＩＶ）断面（図３）及び図２（ａ）参照）の脚部４ｂ１が形成されている。脚部４ｂ１は、第二突起の脚部４ｃ１から軸中心略９０度回転した位置に形成されている。そして、脚部４ｂ１の固定されない端部（すなわち後方端）には第一突起４ｂが突出している。なお、脚部４ｂ１は可撓性を有するよう材質等設定されている。また、脚部４ｂ１と第一突起４ｂとの接続部分には、後述の傾斜面２ｅ１に沿って案内されるよう傾斜面４ｂ２が形成されている。第一突起４ｂは、軸筒２の内周に長手方向に所定長さ形成される案内溝２ｅ（図１の（Ｉ）−（Ｉ）断面図（図３）及び図２参照）により案内されている。さらに、第一突起４ｂは、クリップ５の玉部５ｃと対面するよう設けられている。一方、軸筒２外周面に開口する第一窓部２ｂは、玉部５ｃと対向して設けられるとともに、傾斜面２ｅ１及び平坦部２ｅ２を介して案内溝２ｅと接続されている。
【００１９】
ノック式ボールペン１の動作は、ペン先６ａの没入状態（図２（ａ））においては、リフィール６を保持するノック棒４がコイルスプリング７により後方に付勢され、かつ、規制手段である第二突起４ｃと第二窓部２ｃの係合により後方移動が規制されている。よって、ペン先６ａの没入状態は維持される。このとき、ノック棒４後端の押圧部４ａを前方へ手指等で押圧操作すると、第一突起４ｂが、案内溝２ｅから傾斜面２ｅ１、平坦部２ｅ２に案内されて（図２（ｂ））、第一窓部２ｂと係合する。詳細には、コイルスプリング７の後方への付勢力によるノック棒４の後方への移動を、第一突起４ｂの後端面と第一窓部２ｂの後端壁との係合により規制しているものである。このとき、ペン先６ａは先口２ａ先端から突出し、かつ、ペン先６ａ（すなわちリフィール６）を保持するノック棒４の後方への移動が規制されているので、ノック式ボールペン１は筆記可能状態となる。すなわち、ペン先６ａの突出状態を維持する維持手段は、第一突起４ｂと第一窓部２ｂにより構成されている。
【００２０】
筆記終了後、ペン先６ａを没入させるには、クリップ５（クリップ本体部５ｂ）を軸筒２に向けて押圧すれば、玉部５ｃにより第一突起４ｂが軸中心に向けて押圧されて、第一突起４ｂと第一窓部２ｂの係合が解除される。すると、コイルスプリング７の後方への付勢力と相俟って、第一突起４ｂは、平坦部２ｅ２から傾斜面２ｅ１を介して案内溝２ｅに案内される。そして、ノック棒４は、第二突起４ｃと第二窓部４ｃとが係合するまで（ノック棒４の後方移動が規制されるまで）後方へ移動する。ノック棒４が後方に移動すると、ノック棒４とともにペン先６ａも没入し、ペン先６ａの没入状態となる（図２（ａ））。
【００２１】
このようにして、ペン先６ａの突出状態を解除する解除手段として、クリップ５の玉部５ｃと第一窓部２ｂ及び第一突起４ｂが構成される。
【００２２】
インクタンク６ｂ内のインクをすべて消費する等してリフィール６を交換する場合には、第二突起４ｃを軸中心方向に押圧する。すると、第二突起４ｃと第二窓部２ｃの係合が解除され、ノック棒４は後方への移動が規制されないため、案内溝２ｅに第一突起４ｂが案内されつつ、リフィール６を保持するノック棒４を軸筒２から抜き出すことができる。その後、ノック棒４からリフィール６を抜き取り、交換用のリフィールと交換することができる。
【００２３】
このようにして、ノック式ボールペン１においては、リフィール交換を容易にすることができるよう構成されている。
【００２４】
ここで、本考案に係るリフィール６の保持手段である突起４ｄ１，４ｄ２について詳説する。リフィール６は、その後端をノック棒４の後端部付近の内面に形成された段部４ｅに当接するまで挿入されている。すなわち、第一突起４ｂの直下をリフィール６は挿通されることとなる。この場合、ノック時の脚部４ｂ１の撓みにより、脚部４ｂ１の後端部分とリフィール６とが干渉するおそれがある。よって、リフィール６を脚部４ｂ１、特に脚部４ｂ１の後端部分（詳述すれば、第一突起４ｂと対面するリフィール６の外周面）と確実に離反するよう構成しなければならない。ペン先６ａの出没動作時に悪影響を及ぼすからである。そこで、本考案に係る突起４ｄ１，４ｄ２を形成した。すなわち、第一突起４ｂ側に突起４ｄ１を形成し、突起４ｄ１と対向して突起４ｄ２を形成した。ここで、突起４ｄ１の突起の高さを突起４ｄ２の高さよりも高く形成した。リフィール６は、後方部位を２箇所の突起４ｄ１，４ｄ２により狭持されることでノック棒４に保持される。ゆえに、リフィール６は、突起高さの低い突起４ｄ２側に寄せられた状態で保持されることとなる。すなわち、突起高さの異なる突起４ｄ１，４ｄ２により狭持されるリフィール６は、確実に第一突起４ｂと離反する方向で保持される。よって、ノック時における脚部４ｂ１（第一突起４ｂ）とリフィール６との干渉を確実に回避することができる。
【００２５】
さらに、ノック棒４の複数箇所に、横断面コ字状に形成したガイド部４ｆを設けている（図５（ａ）の（ＶＩＩＩ）−（ＶＩＩＩ）断面図、（ＩＸ）−（ＩＸ）断面図、（Ｘ）−（Ｘ）断面図、（ＸＩ）−（ＸＩ）断面図、（図５（ｂ））参照）。ガイド部４ｆは、リフィール６を第一突起４ｂから離反する方向へガイドするよう、挿通させるリフィールの中心位置を設定している。よって、２箇所の突起４ｄ１，４ｄ２と相俟って、さらに確実に脚部４ｂ１（第一突起４ｂ）とリフィール６との干渉を回避することができる。
【００２６】
なお、ガイド部４ｆの各断面をコ字状に形成することで、ノック棒４を射出成形機による樹脂成形品として形成する際、いわゆるパーティングラインを縦断面方向（図５（ｂ）の各断面で示すＰＬ線）として射出成形用金型を構成することができる。よって、アンダーカット等の構成を要することがないので成形精度に悪影響を及ぼすことがない。特に、突起４ｄ１，４ｄ２を、ノック棒４の横断面方向に直線的に設けることができるので（図５（ａ）の（ＶＩＩＩ）−（ＶＩＩＩ）断面図（図５（ｂ））参照）、円環状に設ける等した場合と比べて精度良くノック棒４を射出成形による成形をすることができる。
【００２７】
ところで、本考案に係るノック棒４は、上述の通り横断面コ字状にガイド部４ｆを設けたことにより、軸筒２から露出する部分である押圧部４ａにおいても横断面はコ字状である（図５（ａ）の（ＶＩＩＩ）−（ＶＩＩＩ）断面図（図５（ｂ））参照）。ゆえに、軸筒２から露出している押圧部４ａにおいては、押圧部４ａ内のリフィール６の後端部近傍が外面に露出した形態となる。この場合、露出部位からリフィール６（インクタンク６ｂ）内に異物等の混入があると不具合の原因となる。さらに、外観上の見栄えも悪い。よって、露出部分を覆うようカバー８を設けた。
【００２８】
すなわち、横断面コ字状に形成されるノック棒４の後方部位である押圧部４ａのうち、後端の手指等を押し当てる指当て部４ａ１は球面上に形成した。手指の押圧感覚を良好にするためである。そして、球面状に形成した指当て部４ａ１と連続して、押圧部４ａの外周に円弧状突起４ａ２を形成した。円弧状突起４ａ２は、横断面形状を扇形状の中心から所定の位置を切り落とした形状を呈し、外周は所定の長さの円弧状に形成される。そして、長手方向には、指当て部４ａ１と接続されるとともに、押圧部４ａの外周に沿って形成されている。
【００２９】
一方、カバー８は、横断面Ｃリング形状に長手方向に伸びるよう形成されている。そして、カバー８の開口している部分に円弧状突起４ａ２の横断面から見た場合の端部（直線状に形成された部分）を狭持するようにして、カバー８が取り付けられる。このようにして取り付けられたカバー８の外周は、円弧状突起４ａ２の円弧と連続して接続されるよう形成されている。また、カバー８の長手方向は、横断面コ字状に形成される押圧部４ａの凹状部位と嵌め合わせ可能な程度に合致して形成されている。よって、このカバー８により、ノック棒４を射出成形にて精度よく仕上げつつ、異物等の侵入を防ぐように構成することができる。また、カバー８を色付けしたり、金属等のメッキ部品とする等して、デザイン上のアクセントを付与することができる。
【００３０】
以上、本考案の実施例を詳細に説明したが、本考案はこれに限定されることなく、本考案の要旨を変更しない範囲で適宜変更することができる。
【符号の説明】
【００３１】
１    ノック式ボールペン
２    軸筒
２ａ    先口
２ｂ    第一窓部
２ｃ    第二窓部
２ｄ    段部
２ｅ    案内溝
２ｅ１    傾斜面
２ｅ２    平坦部
３    グリップ
４    ノック棒
４ａ    押圧部
４ａ１    指当て部
４ａ２    円弧状突起
４ｂ    第一突起
４ｂ１    脚部
４ｃ    第二突起
４ｂ１    脚部
４ｄ１，４ｄ２    突起
４ｅ    段部
４ｆ    ガイド部
５    クリップ
５ａ    脚部
５ｂ    クリップ本体部
５ｃ    玉部
６    リフィール
６ａ    ペン先（ボールペンチップ）
６ｂ    インクタンク
７    コイルスプリング
８    カバー
【図１】
0003153353.tif 000003
【図２】
0003153353.tif 000004
【図３】
0003153353.tif 000005
【図４】
0003153353.tif 000006
【図５】
0003153353.tif 000007